(57)【要約】【課題】堰き止めが解除された遊技球が本来入球すべき入球口とは別の入球口に入球することを抑制可能な遊技機の提供を目的とする。【解決手段】本発明の遊技機１０は、流下路３２を流下する遊技球を堰き止める堰止位置と、その遊技球の堰き止めを解除する堰止解除位置と、に配置される堰止部材４１と、流下路３２の排出口３３から排出された遊技球が入球可能な第１入球口３７及び第２入球口３８と、第１入球口３７に入球し易い第１状態と第２入球口３８に入球し易い第２状態とに周期的に切り替わる入球口切替部材３６と、を有する。遊技機１０では、堰き止めを解除された遊技球が第１入球口３７又は第２入球口３８に入球するまでにかかる解除後流下時間を遊技中に計測し、その解除後流下時間と事前に決定された遊技球の入球先とに基づいて、堰き止め解除のタイミングが制御される。【選択図】図４
2018086084.tif 000002
【特許請求の範囲】
【請求項１】
受入口から受け入れた遊技球を流下させ、その遊技球を排出口から排出する流下路と、
前記流下路の途中に設けられて、前記流下路を流下する遊技球を堰き止める堰止位置と、前記遊技球の堰き止めを解除する堰止解除位置と、に配置される堰止部材と、
前記排出口から排出された遊技球が入球可能な第１入球口及び第２入球口と、
前記排出口から排出された遊技球が前記第１入球口に入球し易い第１状態と、前記排出口から排出された遊技球が前記第２入球口に入球し易い第２状態と、に周期的に切り替わる入球口切替部材と、
前記第１入球口と前記第２入球口の何れの入球口に遊技球を入球させるかを事前に決定する事前決定手段と、
前記堰止部材による堰き止めを解除された遊技球が前記第１入球口又は前記第２入球口に入球するまでにかかる時間である解除後流下時間を遊技中に計測する解除後流下時間計測手段と、
前記事前決定手段による決定と前記入球口切替部材の切り替わりの周期と前記解除後流下時間計測手段により計測された前記解除後流下時間とに基づいて、前記堰止部材の堰き止め解除のタイミングを制御する堰止部材制御手段と、を有する遊技機。
【請求項２】
請求項１に記載の遊技機であって、
前記解除後流下時間計測手段が計測した直近複数回分の前記解除後流下時間の平均値を算出する平均解除後流下時間算出手段をさらに有し、
前記堰止部材制御手段は、前記事前決定手段による決定と前記解除後流下時間の平均値とに基づいて、前記堰止部材の堰き止め解除のタイミングを制御する。
【請求項３】
受入口から受け入れた遊技球を流下させ、その遊技球を排出口から排出する流下路と、
前記流下路の途中に設けられて、前記流下路を流下する遊技球を堰き止める堰止位置と、前記遊技球の堰き止めを解除する堰止解除位置と、に配置される堰止部材と、
前記排出口から排出された遊技球が入球可能な第１入球口及び第２入球口と、
前記排出口から排出された遊技球が前記第１入球口に入球し易い第１状態と、前記排出口から排出された遊技球が前記第２入球口に入球し易い第２状態と、に周期的に切り替わる入球口切替部材と、
前記第１入球口と前記第２入球口の何れの入球口に遊技球を入球させるかを事前に決定する事前決定手段と、
前記堰止部材による堰き止めを解除された遊技球が前記排出口から排出されるまでにかかる時間である排出時間を遊技中に計測する排出時間計測手段と、
前記事前決定手段による決定と前記入球口切替部材の切り替わりの周期と前記排出時間計測手段により計測された前記排出時間とに基づいて、前記堰止部材の堰き止め解除のタイミングを制御する堰止部材制御手段と、を有する遊技機。
【請求項４】
請求項３に記載の遊技機であって、
前記排出時間計測手段が計測した直近複数回分の前記排出時間の平均値を算出する平均排出時間算出手段をさらに有し、
前記堰止部材制御手段は、前記事前決定手段による決定と前記排出時間の平均値とに基づいて、前記堰止部材の堰き止め解除のタイミングを制御する。
【発明の詳細な説明】
【技術分野】
【０００１】
本発明は、流下路の途中で遊技球を堰き止め、その堰き止めを解除するタイミングによって、流下路から排出された遊技球を第１入球口と第２入球口の何れかに入球させる遊技機に関する。
【背景技術】
【０００２】
従来、この種の遊技機として、当り穴と外れ穴を有する回転体へ向けて遊技球を排出し、遊技球を何れかの穴に入球させるものが知られている（例えば、特許文献１参照）。このような遊技機では、当り穴と外れ穴の何れに入球させるかは、堰き止めが解除される前に決定されていて、入球させるべき穴に遊技球が入球するように、堰き止めが解除される。具体的には、遊技機が設置される前に、堰き止めを解除された遊技球が穴に入球するまでの時間をサンプリングし、そのサンプリング結果に基づいて、堰き止めを解除するタイミングが決定されている。
【先行技術文献】
【特許文献】
【０００３】
【特許文献１】特開２０１２−２４６６０９号公報（段落［００６６］〜［００６８］、図９）
【発明の概要】
【発明が解決しようとする課題】
【０００４】
しかしながら、上述した従来の遊技機では、遊技機が水平に設置されていなかったり遊技球が流下する流下路に汚れ等の障害物があったりすると、堰き止めを解除された遊技球が、本来入球すべき入球口に入球せずに、別の入球口に入球するという問題が生じ得た。
【０００５】
本発明は、上記事情に鑑みてなされたもので、堰き止めを解除された遊技球が本来入球すべき入球口とは別の入球口に入球することを抑制可能な遊技機の提供を目的とする。
【課題を解決するための手段】
【０００６】
第１の手段は、受入口から受け入れた遊技球を流下させ、その遊技球を排出口から排出する流下路と、前記流下路の途中に設けられて、前記流下路を流下する遊技球を堰き止める堰止位置と、前記遊技球の堰き止めを解除する堰止解除位置と、に配置される堰止部材と、前記排出口から排出された遊技球が入球可能な第１入球口及び第２入球口と、前記排出口から排出された遊技球が前記第１入球口に入球し易い第１状態と、前記排出口から排出された遊技球が前記第２入球口に入球し易い第２状態と、に周期的に切り替わる入球口切替部材と、前記第１入球口と前記第２入球口の何れの入球口に遊技球を入球させるかを事前に決定する事前決定手段と、前記堰止部材による堰き止めを解除された遊技球が前記第１入球口又は前記第２入球口に入球するまでにかかる時間である解除後流下時間を遊技中に計測する解除後流下時間計測手段と、前記事前決定手段による決定と前記入球口切替部材の切り替わりの周期と前記解除後流下時間計測手段により計測された前記解除後流下時間とに基づいて、前記堰止部材の堰き止め解除のタイミングを制御する堰止部材制御手段と、を有する遊技機である。
【０００７】
第２の手段は、第１の手段に記載の遊技機であって、前記解除後流下時間計測手段が計測した直近複数回分の前記解除後流下時間の平均値を算出する算出手段をさらに有し、前記堰止部材制御手段は、前記事前決定手段による決定と前記解除後流下時間の平均値とに基づいて、前記堰止部材の堰き止め解除のタイミングを制御する。
【０００８】
第３の手段は、受入口から受け入れた遊技球を流下させ、その遊技球を排出口から排出する流下路と、前記流下路の途中に設けられて、前記流下路を流下する遊技球を堰き止める堰止位置と、前記遊技球の堰き止めを解除する堰止解除位置と、に配置される堰止部材と、前記排出口から排出された遊技球が入球可能な第１入球口及び第２入球口と、前記排出口から排出された遊技球が前記第１入球口に入球し易い第１状態と、前記排出口から排出された遊技球が前記第２入球口に入球し易い第２状態と、に周期的に切り替わる入球口切替部材と、前記第１入球口と前記第２入球口の何れの入球口に遊技球を入球させるかを事前に決定する事前決定手段と、前記堰止部材による堰き止めを解除された遊技球が前記排出口から排出されるまでにかかる時間である排出時間を遊技中に計測する排出時間計測手段と、前記事前決定手段による決定と前記入球口切替部材の切り替わりの周期と前記排出時間計測手段により計測された前記排出時間とに基づいて、前記堰止部材の堰き止め解除のタイミングを制御する堰止部材制御手段と、を有する遊技機である。
【０００９】
第４の手段は、第３の手段に記載の遊技機であって、前記排出時間計測手段が計測した直近複数回分の前記排出時間の平均値を算出する算出手段をさらに有し、前記堰止部材制御手段は、前記事前決定手段による決定と前記排出時間の平均値とに基づいて、前記堰止部材の堰き止め解除のタイミングを制御する。
【発明の効果】
【００１０】
本発明によれば、堰き止めを解除された遊技球が本来入球すべき入球口とは別の入球口に入球することを抑制することが可能となる。
【図面の簡単な説明】
【００１１】
【図１】第１実施形態に係る遊技機の正面図
【図２】堰止部材に遊技球が堰き止められる前の流下路の断面図
【図３】堰止部材に遊技球が堰き止められたときの流下路の断面図
【図４】遊技球の堰き止めが解除されたときの流下路の断面図
【図５】遊技機の電気的構成を示すブロック図
【図６】他の実施形態に係る入球口切替部材の概略構成図
【発明を実施するための形態】
【００１２】
［第１実施形態］
以下、第１実施形態を図面に基づいて説明する。図１に示すように、本実施形態の遊技機１０は、前面枠１０Ｚを前面に備え、その前面枠１０Ｚに形成されたガラス窓１０Ｗを通して遊技盤１１の前面に形成された遊技領域Ｒ１が視認可能になっている。また、前面枠１０Ｚのうちガラス窓１０Ｗより下方には、上皿２６及び下皿２７が上下２段にして設けられ、下皿２７の右側には発射ハンドル２８が設けられている。そして、発射ハンドル２８が回動操作されると、上皿２６に収容された遊技球が遊技領域Ｒ１に向けて弾き出される。
【００１３】
遊技領域Ｒ１には、例えば、液晶モジュールで構成された表示装置１３が備えられている。表示装置１３は、長方形状の表示画面１３Ｇを前面に有し、その表示画面１３Ｇが遊技領域Ｒ１における中央より若干上寄り位置に配置されている。
【００１４】
遊技領域Ｒ１のうち表示画面１３Ｇの下方には、第１と第２の始動入賞口１４Ａ，１４Ｂ及びアウト口１６が、上から順に間隔を開けて並べて設けられている。また、表示画面１３Ｇの右側には、始動ゲート１８が設けられている。なお、遊技領域Ｒ１には、各種入賞口１４Ａ，１４Ｂ，１５や始動ゲート１８等の役物以外に、遊技球の流下方向を変化させる障害釘や風車（共に図示せず）が配置されている。
【００１５】
次に、上述した各役物の構成について詳説する。始動ゲート１８は、遊技球が潜って通過可能な門形構造をなしている。始動ゲート１８を通過した遊技球は始動ゲート１８に内蔵された始動スイッチ（図示せず）によって検出され、その検出信号に基づいて、普通図柄当否判定が行われる。
【００１６】
第１と第２の始動入賞口１４Ａ，１４Ｂは、共に遊技盤１１から突出した部材の上面に開口を備えた、所謂、ポケット構造をなしている。そして、各始動入賞口１４Ａ，１４Ｂに入った遊技球は、遊技盤１１に設けた図示しない貫通孔を通って、遊技盤１１の裏側に回収される。
【００１７】
詳細には、上側に配置された第１の始動入賞口１４Ａは、遊技球が１つだけ入る開口幅を有している。また、下側に配置された第２の始動入賞口１４Ｂは、第１の始動入賞口１４Ａの真下に配置され、その開口の左右両側には可動翼片１４Ｃ，１４Ｃが備えられている。両可動翼片１４Ｃ，１４Ｃは、通常は、起立状態となって第２の始動入賞口１４Ｂへの遊技球の入球を規制する一方、上述した普通図柄当否判定が当りとなったときに、横倒しになって、遊技球を第２の始動入賞口１４Ｂへ案内可能となる。
【００１８】
各始動入賞口１４Ａ，１４Ｂに遊技球が入球すると、所定個数（例えば、４個）の遊技球が賞球として上皿２６に払い出されると共に、特別図柄当否判定が行われる。この特別図柄当否判定の判定結果は、表示装置１３の表示画面１３Ｇに表示される。
【００１９】
大入賞口１５は、横長矩形に形成されて、常には、可動扉１５Ｔにて閉塞されている。そして、「大当り遊技」が実行されると、可動扉１５Ｔが所定期間に亘って前側に倒されて大入賞口１５が開放し、可動扉１５Ｔを案内にして、大入賞口１５に多くの遊技球が入賞可能となる。ここで、可動扉１５Ｔが、開放してから閉じるまでの動作を「ラウンド」と称すると、１回の大当り遊技は、所定回数（例えば、１５回）のラウンドが実行されるまで継続する。大入賞口１５に遊技球が入賞すると、１個の入賞につき所定個数（例えば、１５個）の遊技球が賞球として上皿２６に払い出される。
【００２０】
本実施形態の遊技機１０では、大当り遊技の終了後に大当りとなる確率が通常遊技状態よりも高くなる高確率状態へ移行する場合がある。高確率状態に移行するか否かは、大当りの契機となった始動入賞口１４Ａ，１４Ｂへの入賞時に抽選によって事前に決定される。そして、遊技機１０では、大当り遊技中に演出役物装置３０を用いて行われる演出によって高確率状態へ移行するか否かを遊技者に知らせることが可能となっている。
【００２１】
以下、演出役物装置３０について説明する。図１に示されるように、演出役物装置３０は、遊技球を受け入れ可能な受入口３１と受入口３１で受け入れた遊技球を排出する排出口３３とを有する流下路３２を備えている。流下路３２は、表示画面１３Ｇの左側から下側へかけてＬ字状に延びている。受入口３１は、表示画面１３Ｇの左側に位置して左側に開放し、可動部材３１Ａによって開閉される。受入口３１は、大当り遊技中に所定のタイミングで開放される。排出口３３は、表示画面１３Ｇの下側に位置して下方に開放している。
【００２２】
図２に示されるように、演出役物装置３０は、排出口３３の下方に、排出口３３から排出された遊技球を第１入球口３７と第２入球口３８の何れか一方の入球口に入球させる切替装置３５を備えている。切替装置３５は、上下方向に沿って延びる軸を中心に回転する入球口切替部材３６を有し、この入球口切替部材３６の上部に第１入球口３７と第２入球口３８が形成されている。詳細には、入球口切替部材３６の回転軸は、排出口３３の中心軸から水平方向にずれた位置に配置され、第１入球口３７と第２入球口３８は、入球口切替部材３６の外縁寄り部分に周方向に並べて配置されている。そして、入球口切替部材３６が回転することにより、排出口３３の下方に第１入球口３７が配置される第１状態と、排出口３３の下方に第２入球口３８が配置される第２状態と、に切り替わる。なお、本実施形態では、入球口切替部材３６に４つの第１入球口３７と２つの第２入球口３８が設けられ、２つの第１入球口３７と１つの第２入球口３８とで、入球口切替部材３６の半周分を占めている。
【００２３】
入球口切替部材３６は、切替駆動源３９（図５参照）によって一定の速度で回転するように駆動される。従って、第１入球口３７と第２入球口３８は、一定の周期で排出口３３の下方に配置される。ここで、第１入球口３７と第２入球口３８は、それぞれ、外れ穴と当り穴になっていて、第１入球口３７に遊技球が入球すると、上述した高確率状態への移行抽選に外れたことを意味し、第２入球口３８に遊技球が入球すると、高確率状態への移行抽選に当たったことを意味する。
【００２４】
また、演出役物装置３０には、事前に決定された高確率状態への移行抽選の結果に合致するように遊技球を第１入球口３７と第２入球口３８の何れかに入球させるための堰止装置４０が備えられている。堰止装置４０は、図２及び図３に示す堰止位置と図４に示す堰止解除位置とに配置される堰止部材４１と、堰止部材４１を駆動制御する堰止駆動源４２（図５参照）と、を備えている。堰止部材４１は、流下路３２を横切る方向に移動可能に構成され、堰止位置に配置されたときに、流下路３２内に突入し（図２及び図３参照）、堰止解除位置に配置されたときに、流下路３２の外側に退避する（図４参照）。
【００２５】
本実施形態では、第１入球口３７と第２入球口３８の何れかに入球する遊技球が１つのみとなっている。具体的には、図２に示されるように、流下路３２におけるＬ字の下辺部分（図１参照）には、段付き状に下がる段差部３２Ｄが設けられ、流下路３２は、段差部３２Ｄより上流側で直線状に延びる部分が延長された分岐路３４を備えている。分岐路３４は、分岐路３４を流下する遊技球を排出する分岐排出口３４Ａに連通している。堰き止め位置に配置された堰止部材４１は、流下路３２の段差部３２Ｄに突入し、堰止部材４１により堰き止められた遊技球は、流下路３２の段差部３２Ｄより上流側の部分に対して遊技球約１個分だけ下方に配置される。そして、堰止部材４１に遊技球が堰き止められている状態で別の遊技球が流下路３２を流下してくると、その別の遊技球は、堰止部材４１に堰き止められている遊技球の上を通過して分岐路３４へと進入し、分岐排出口３４Ａから排出される（図３参照）。これにより、堰止部材４１によって堰き止められる遊技球を１つのみとすることが可能となり、第１入球口３７と第２入球口３８の何れかに入球する遊技球が１つのみとなる。
【００２６】
ところで、遊技機１０では、遊技機１０が設置される前に、堰き止めを解除された遊技球が第１入球口３７と第２入球口３８の何れかに入球するまでにかかる時間（以下、「解除後流下時間」という。）がサンプリングされ、そのサンプリングの結果に基づいて、高確率状態への移行抽選の結果に対応した入球口３７，３８に遊技球が入球するように堰き止めが解除される。しかしながら、遊技機１０の設置状況や流下路３２の状態が遊技機１０の設置前と異なる場合（例えば、遊技機１０が水平に設置されていない場合や流下路３２に汚れやゴミがある場合）、堰き止めを解除された遊技球が、高確率状態への移行抽選の結果に対応した入球口に入球しないことが考えられる。このような事態の発生を抑制すべく、遊技機１０では、解除後流下時間を遊技中に計測し、その流下時間の基づいて堰き止め解除のタイミングを決定するようになっている。
【００２７】
具体的には、図５に示されるように、遊技機１０には、第１入球口３７に入球した遊技球を検出するための第１入球口センサ３７Ｓと、第２入球口３８に入球した遊技球を検出するための第２入球口センサ３８Ｓと、が備えられている。そして、堰止駆動源４２が堰止部材４１を堰止解除位置へと移動させてから、その堰止部材４１に堰き止められていた遊技球が第１入球口センサ３７Ｓと第２入球口センサ３８Ｓの何れかに検出されるまでの時間、即ち、解除後流下時間が計測される。計測された解除後流下時間は、後述するサブ制御基板５２（図５参照）に記憶される。そして、堰止部材４０は、事前に決定された高確率状態への移行抽選の結果と計測された解除後流下時間と入球口切替部材３６の回転周期とに基づいて、堰止駆動源４２を作動させる。詳細には、堰止部材４０は、高確率状態への移行抽選の結果に合致した入球口に遊技球を入球させることが可能なタイミングに対して解除後流下時間分だけ早く堰止駆動源４２を作動させて、堰止部材４１を堰止解除位置へと移動させる。
【００２８】
ここで、遊技球の堰き止め解除のタイミングを決定する際に用いられる解除後流下時間は、前回の堰き止め解除の際に計測された解除後流下時間であってもよいし、直近複数回の堰き止め解除の際に計測された解除後流下時間の平均値であってもよい。後者の構成によれば、遊技球の流下時間にばらつきがある場合であっても、そのばらつきが堰き止め解除のタイミングに及ぼす影響を小さくすることが可能となる。
【００２９】
なお、遊技機１０では、排出口３３から排出される遊技球を検出する排出口センサ３３Ｓが備えられている。排出口センサ３３Ｓにより遊技球が検出されたにもかかわらず第１入球口センサ３７Ｓと第２入球口センサ３８Ｓの何れのセンサにも遊技球が検出されなかった場合や、排出口センサ３３Ｓにより遊技球が検出されていないにもかかわらず第１入球口センサ３７Ｓと第２入球口センサ３８Ｓの何れかのセンサに遊技球が検出された場合には、遊技機１０は、異常が発生したと判断し、警告音を鳴らす等の処理を行う。
【００３０】
次に、図５を参照しつつ、遊技機１０の電気的な構成について説明する。同図における符号５０は、主制御基板５０であって、ＣＰＵ５１ＡとＲＡＭ５１Ｂ及びＲＯＭ５１Ｃ、複数のカウンタを備えたマイクロコンピュータと、該マイクロコンピュータとサブ制御基板５２を結ぶ入出力回路と、始動入賞装置、大入賞装置等が接続された中継回路、払出制御基板等を結ぶ入出力回路とを備え、遊技に関わる主制御を行う。ＣＰＵ５１Ａは、当否判定部、制御部、演算部、各種カウンタ、各種レジスタ、各種フラグ等を備え、演算制御を行う他、特別図柄当りや普通図柄当りに関する乱数等も生成し、制御信号をサブ制御基板５２等へ出力（送信）可能に構成されている。ＲＡＭ５１Ｂは、ＣＰＵ５１Ａで生成される各種乱数値用の記憶領域、各種データを一時的に記憶する記憶領域やフラグ、ＣＰＵ５１Ａの作業領域を備える。ＲＯＭ５１Ｃには、ＣＰＵ５１Ａが実行するメインプログラムや、制御データ等が書き込まれている他、特別図柄当り及び普通図柄当りの判定値や高確率状態への移行抽選の判定値が書き込まれている。
【００３１】
サブ制御基板５２は、主制御基板５０と同様に、ＣＰＵ５２ＡとＲＡＭ５２Ｂ、ＲＯＭ５２Ｃ、複数のカウンタを備えたマイクロコンピュータと、前記マイクロコンピュータと主制御基板５０を結ぶ入出力回路と、表示制御基板５４及びランプ制御基板等を結ぶ入出力回路を備えている。ＣＰＵ５２Ａは、制御部、演算部、各種カウンタ、各種レジスタ、各種フラグ等を備え、演算制御を行う他、制御信号を表示装置１３、切替装置３０、ランプ制御基板、音声制御基板等へ出力（送信）可能に構成されている。ＲＡＭ５２Ｂは、各種データの記憶領域とＣＰＵ５２Ａによる作業領域を有している。ＲＯＭ５２Ｃには、ＣＰＵ５２Ａが実行するメインプログラムや、各種演出の制御データ等が記憶されている。また、ＲＯＭ５２Ｃには、遊技機１０が設置される前のサンプリングによって決定された解除後流下時間が記憶されている。
【００３２】
サブ制御基板５２は、演出役物装置３０（詳細には、堰止装置４０）に堰止駆動源４１の制御信号を送信する。また、サブ制御基板５２は、第１入球口センサ３７Ｓと第２入球口センサ３８Ｓからの検出信号を受信し、その受信タイミングと堰止部材４１を堰止解除位置へ移動させる信号を堰止駆動源４１に送信したタイミングとに基づいて、解除後流下時間を計測する。計測された解除後流下時間は、ＲＡＭ５２Ｂに記憶される。解除後流下時間の平均値を用いて堰き止め解除のタイミングが制御される場合には、サブ制御基板５２は、直近複数回の解除後流下時間からその平均値を算出する。そして、サブ制御基板５２は、前回の解除後流下時間又は直近複数回の解除後流下時間の平均値と、入球口切替部材３６の回転速度と、高確率状態への移行抽選の結果と、に基づいて、堰き止めを解除するタイミングを決定し、そのタイミングで堰止駆動源４２に制御信号（詳細には、堰止部材４１を堰止解除位置へ移動させる制御信号）を送信する。
【００３３】
なお、主制御基板５０は、「事前決定手段」に相当し、サブ制御基板５２は、「堰止部材制御手段」、「解除後流下時間計測手段」及び「平均解除後流下時間算出手段」に相当する。
【００３４】
本実施形態に係る遊技機１０の構成に関する説明は以上である。次に、遊技機１０の作用効果について説明する。
【００３５】
遊技機１０では、大当り遊技の終了後に高確率状態へ移行するか否かが演出役物装置３０による演出によって遊技者に知らされる。演出役物装置３０では、流下路３２を流下する遊技球を堰止部材４１にて堰き止め、所定のタイミングで堰き止めを解除する。堰き止めを解除された遊技球は、排出口３３から排出され、第１入球口３７と第２入球口３８の何れかに入球する。そして、遊技球の入球先によって高確率状態への移行抽選の結果を知らせる。
【００３６】
具体的には、遊技機１０では、堰止部材４１による堰き止めを解除された遊技球が第１入球口３７又は第２入球口３８に入球するまでの時間（堰止解除流下時間）が遊技中に計測される。そして、高確率状態への移行抽選の結果と計測された堰止解除流下時間と入球口切替部材３６の切り替わりの周期に基づいて、高確率状態への移行抽選の結果に対応した入球口に遊技球が入球するように、堰止部材４１による堰き止めが解除される。このように、本実施形態の遊技機１０によれば、遊技中に計測された堰止解除流下時間に基づいて堰き止めを解除するタイミングが制御されるので、高確率状態への移行抽選の結果に合致しない入球口に遊技球が入球することを抑制可能となる。
【００３７】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３８】
（１）上記実施形態において、堰き止めが解除されてから第１入球口３７と第２入球口３８の何れかに入球するまでの解除後流下時間の代わりに、堰き止めが解除されてから排出口３３から排出されるまでの排出時間を用いて、堰き止め解除のタイミングが制御されてもよい。この場合、サブ制御基板５２は、排出口センサ３３Ｓからの検出信号も受信し、その受信タイミングと堰止部材４１を堰止解除位置へ移動させる信号を堰止駆動源４１に送信したタイミングとに基づいて、排出時間を計測する。なお、堰き止め解除のタイミングは、前回の堰き止め解除における排出時間に基づいて制御されてもよいし、直近複数回の堰き止め解除における排出時間の平均値に基づいて制御されてもよい。
【００３９】
（２）上記実施形態では、第１入球口３７と第２入球口３８の何れかに遊技球が入球することによって、高確率状態への移行抽選の結果を遊技者に知らせる構成となっていたが、大当り抽選の結果（特別図柄当否判定の結果）を遊技者に知らせる構成としてもよいし、普通図柄当否判定で当りとなる確率が通常遊技状態よりも高い時短遊技状態への移行抽選の結果を遊技者に知らせる構成としてもよい。また、大当り遊技にラウンド数が異なる複数種類が設けられている場合には、ラウンド数の多い大当り遊技であるか否かを知らせる構成としてもよい。
【００４０】
（３）上記実施形態において入球口切替部材３６を、排出口３３の下方を水平方向に往復移動する構成とし、その移動方向の一端側と他端側とに第１入球口３７と第２入球口３８を備える構成としてもよい（図６（Ａ）参照）。
【００４１】
（４）上記実施形態において、図６（Ｂ）に示されるように、第１入球口３７と第２入球口３８を排出口３３の下方で水平方向に並べて配置し、それら第１入球口３７及び第２入球口３８と排出口３３とに挟まれた部分に、水平方向に延びる回動軸を有する入球口切替部材３６を備えてもよい。入球口切替部材３６は、排出口３３から排出された遊技球を受け止める受止誘導面３６Ｍが第１入球口３７側へ向かって下がる第１状態と、受止誘導面３６Ｍが第２入球口３８側へ向かって下がる第２状態と、に変化する。
【符号の説明】
【００４２】
１０    遊技機
３０    演出役物装置
３１    入球口
３２    流下路
３３    排出口
３６    入球口切替部材
３７    第１入球口
３８    第２入球口
４１    堰止部材
【図１】
2018086084.tif 000003
【図２】
2018086084.tif 000004
【図３】
2018086084.tif 000005
【図４】
2018086084.tif 000006
【図５】
2018086084.tif 000007
【図６】
2018086084.tif 000008